【事件の表示】
　特願２０１１−５２１３３３「アドレス可能コンテンツの動的帯域幅割り当てのためのシステム及び方法」拒絶査定不服審判事件〔平成２２年　２月　４日国際公開，ＷＯ２０１０／０１４８３１，平成２３年１２月１５日国内公表，特表２０１１−５３０２３１〕について，次のとおり審決する。
【結　論】
　本件審判の請求は、成り立たない。
【理　由】
第１　手続の経緯
　本願は，２００９年（平成２１年）７月３０日（パリ条約による優先権主張外国庁受理２００８年７月３０日　米国）を国際出願日とする出願であって，その手続の経緯は以下のとおりである。
　平成２５年　７月２４日付け：拒絶理由の通知
　平成２６年　１月３１日　　：手続補正
　平成２６年　３月２５日付け：拒絶理由の通知
　平成２６年　９月３０日　　：手続補正
　平成２６年１１月　５日付け：拒絶査定
　平成２６年１１月１０日　　：拒絶査定の謄本の送達
　平成２７年　３月１０日　　：拒絶査定不服審判の請求
　平成２７年　３月１０日　　：手続補正
第２　補正却下の決定
［補正却下の決定の結論］
　平成２７年３月１０日付けの手続補正を却下する。
［理由］
１　本願発明と補正後の発明
　上記手続補正（以下「本件補正」という。）は，本件補正前の平成２６年９月３０日付けの手続補正書の特許請求の範囲の請求項２７に記載された，
「【請求項２７】
　帯域幅を動的に割り当てるためのシステムであって，
　少なくとも放送ストリーム内のアドレス可能な中断の開始を示すデータを含むキュートーンを前記放送ストリームから受け取る手段と，
　優先順位ポリシにしたがって利用可能な帯域幅を管理するよう構成されているリソースマネージャに要求を送信し，前記キュートーンの前記データに基づいて，前記利用可能な帯域幅の一部をアドレス可能コンテンツストリームに割り当てる手段と，
　前記リソースマネージャによる前記利用可能な帯域幅の一部の割り当てを受けたことに応じて，前記アドレス可能な中断中に前記アドレス可能コンテンツストリームを受信機に流す手段と，
　前記アドレス可能な中断の終了時に前記帯域幅の一部の割り当てを解除する手段と，
を備えることを特徴とするシステム。」
という発明（以下「本願発明」という。）を，平成２７年３月１０日付け手続補正書の特許請求の範囲の請求項２７に記載された，
「【請求項２７】
　帯域幅を動的に割り当てるためのシステムであって，
　少なくとも放送ストリーム内のアドレス可能な中断の開始を示すデータを含むキュートーンを前記放送ストリームから受け取る手段と，
　優先順位ポリシにしたがって利用可能な帯域幅を管理するよう構成されているリソースマネージャに要求を送信し，前記キュートーンの前記データに基づいて，前記利用可能な帯域幅の一部を
少なくとも一つのコマーシャルを含む
　前記リソースマネージャによる前記利用可能な帯域幅の一部の割り当てを受けたことに応じて，前記アドレス可能な中断中に前記アドレス可能コンテンツストリームを
前記少なくとも一つのコマーシャルについてターゲットとされたサブネットワーク内に配置されている
　前記アドレス可能な中断の終了時に前記帯域幅の一部の割り当てを解除する手段と，
を備え
，
　前記リソースマネージャがネットワーク内の利用可能な加入者の複数のサブネットワークを定義し，優先順位ポリシにしたがって前記複数のサブネットワークのための利用可能な帯域幅を管理するよう構成され，前記複数のサブネットワークのそれぞれが帯域幅のリソースを有し，サブネットワーク内の少なくとも一つの加入者が前記少なくとも一つのコマーシャルについてターゲットとされたことに応じて，前記リソースマネージャが前記サブネットワーク内の前記アドレス可能コンテンツストリームについての帯域幅を割り当てるよう構成され
という発明に補正することを含むものである（下線は，審判請求人が示した補正箇所である。）。
２　新規事項の有無，補正の目的要件について
　本件補正は，願書に最初に添付した明細書，特許請求の範囲又は図面に記載した事項の範囲内において，以下の点を限定することにより，特許請求の範囲を減縮するものであり，かつ，本願発明と補正後の発明とは，産業上の利用分野及び解決しようとする課題が同一である。
・「アドレス可能コンテンツストリーム」が「少なくとも一つのコマーシャルを含む」点
・「前記アドレス可能コンテンツストリーム」を流す「受信機」が「前記少なくとも一つのコマーシャルについてターゲットとされたサブネットワーク内に配置されている」点
・「利用可能な帯域幅の一部」を「アドレス可能コンテンツストリームに割り当てる」ことについて，「前記リソースマネージャがネットワーク内の利用可能な加入者の複数のサブネットワークを定義し，優先順位ポリシにしたがって前記複数のサブネットワークのための利用可能な帯域幅を管理するよう構成され，前記複数のサブネットワークのそれぞれが帯域幅のリソースを有し，サブネットワーク内の少なくとも一つの加入者が前記少なくとも一つのコマーシャルについてターゲットとされたことに応じて，前記リソースマネージャが前記サブネットワーク内の前記アドレス可能コンテンツストリームについての帯域幅を割り当てる」点
　したがって，本件補正は，特許法第１７条の２第３項（新規事項）及び第１７条の２第５項第２号（補正の目的）の規定に適合している。
３　独立特許要件について
　本件補正は，特許請求の範囲の限定的減縮を目的とするものであるから，補正後の発明が特許出願の際独立して特許を受けることができるものであるか否か（特許法第１７条の２第６項において準用する同法第１２６条第７項の規定に適合するか否か）について，以下に検討する。
（１）補正後の発明
　本件補正後の請求項２７に係る発明は，平成２７年３月１０日付けの手続補正書により補正された明細書，特許請求の範囲及び図面の記載からみて，その特許請求の範囲の請求項２７に記載された事項に基づき特定される，以下のとおりの発明（以下「補正後の発明」という。）であると認める。
　ここで，請求項２７には，「前記アドレス可能コンテンツストリームを受信機に流す・・・
受信機に
　なお，下記のとおり，当審において，（Ａ）から（Ｇ）までの記号を説明のために付与した。以下，構成要件Ａ，構成要件Ｂなどと称することとする。
（Ａ）　帯域幅を動的に割り当てるためのシステムであって，
（Ｂ）　少なくとも放送ストリーム内のアドレス可能な中断の開始を示すデータを含むキュートーンを前記放送ストリームから受け取る手段と，
（Ｃ）　優先順位ポリシにしたがって利用可能な帯域幅を管理するよう構成されているリソースマネージャに要求を送信し，前記キュートーンの前記データに基づいて，前記利用可能な帯域幅の一部を少なくとも一つのコマーシャルを含むアドレス可能コンテンツストリームに割り当てる手段と，
（Ｄ）　前記リソースマネージャによる前記利用可能な帯域幅の一部の割り当てを受けたことに応じて，前記アドレス可能な中断中に前記アドレス可能コンテンツストリームを前記少なくとも一つのコマーシャルについてターゲットとされたサブネットワーク内に配置されている受信機に流す手段と，
（Ｅ）　前記アドレス可能な中断の終了時に前記帯域幅の一部の割り当てを解除する手段と，
を備え，
（Ｆ）　前記リソースマネージャがネットワーク内の利用可能な加入者の複数のサブネットワークを定義し，優先順位ポリシにしたがって前記複数のサブネットワークのための利用可能な帯域幅を管理するよう構成され，前記複数のサブネットワークのそれぞれが帯域幅のリソースを有し，サブネットワーク内の少なくとも一つの加入者が前記少なくとも一つのコマーシャルについてターゲットとされたことに応じて，前記リソースマネージャが前記サブネットワーク内の前記アドレス可能コンテンツストリームについての帯域幅を割り当てるよう構成される
（Ｇ）ことを特徴とするシステム。
（２）引用発明
（２−１）引用例１の記載及び引用発明
（２−１−１）引用例１の記載
　原審の平成２６年３月２５日付けの拒絶理由に引用された，米国特許出願公開第２００５／００３９２０５号明細書（以下「引用例１」という。）には，「Technique for effectively delivering targeted advertisements through a communications network having limited bandwidth」（邦訳：限られた帯域幅を有する通信ネットワークを介してターゲット広告を効率的に配信する技術）として，図面とともに以下の事項が記載されている。なお，邦訳は，当審において付記したものである。
ア　「[0001] The invention relates to communications systems and methods, and more particularly to a system and method for delivering programming content, along with alternate targeted advertisements, through a communications network, e.g., a cable TV network.」
（邦訳）
「［０００１］本発明は，通信システムおよび方法に関し，より詳細には，代替のターゲット広告と，番組コンテンツを，通信ネットワーク，例えば，ケーブルテレビネットワークを介して配信するためのシステムおよび方法に関する。」
イ　「[0010] During the advertising break, one or more streams of substitute advertisements are transmitted over one or more assigned transmission channels, respectively. The targeted STTs are directed to tune to the assigned transmission channels during the advertising break, and receive a stream of substitute advertisements. Consequently, the subscribers are shown substitute advertisements instead of the regularly-scheduled advertisements.」
（邦訳）
「［００１０］広告ブレーク中，一つ又は複数の代替広告のストリームが，一つ又は複数の割り当てられた送信チャンネルを介して送信される。ターゲットＳＴＴは，広告ブレーク中に割り当てられた送信チャンネルに合わせるように指示され，代替広告のストリームを受信する。これにより，加入者には，定期的にスケジュールされた広告の代わりに代替広告が示される。」
ウ　「[0031] FIG. 2 illustrates cable TV system 10 embodying the principles of the invention for providing program materials to STTs on subscriber premises. As shown in FIG. 2, system 10 includes headend 100, fiber node 122, cable distribution network 124, and service area nodes 126, 127, etc. Service area node 126 is connected to STTs 128-1 through 128-L in a neighborhood or service area, where L represents a predetermined number. 」
（邦訳）
「［００３１］図2は，加入者構内でＳＴＴにプログラム番組を提供するための，本発明の原理を具現化するケーブルTVシステム10を示している。図2に示すように，システム10はヘッドエンド100，ファイバー・ノード122，ケーブル配線網124及びサービスエリアノード126，127等を備えている。サービスエリアノード126には，近傍エリア又はサービスエリア内において128-1から128-LまでのＳＴＴが接続され，ここでLは所定数を表している。」
エ　「[0032] In headend 100, program material processing unit 102 receives program materials from various sources via satellites, terrestrial microwave transmissions, cable, etc. The program materials are processed by unit 102 to form K individual program channel streams in a digital format, where K is an integer. Each program channel stream contains program material, which requires a transmission channel having a specified frequency band for its distribution.
[0033] Switching unit 104, under control of controller 112, selectively switches a subset of the K program channel streams, say, p program channel streams (where p # K), to p input ports of ad cue detector 105, respectively. The p program channel streams are selected in a manner described below. The p input ports of detector 105 are selected by controller 112 which correspond to the appropriate inputs of modulators in modulator bank 106 so that the p program channel streams, after being processed by detector 105, are modulated onto the respective p carriers assigned by controller 112. 」
（邦訳）
「［００３２］ヘッドエンド100において，プログラム番組処理ユニット102は，衛星，地上マイクロ波送信，ケーブル等を介して，様々なソースから，プログラム番組を受信する。プログラム番組は，デジタル形式のK個の個々の番組チャンネルストリームを形成するために，ユニット102で処理される（ここで，Kは整数である。）。各番組チャンネルストリームは，プログラム番組を含み，その配信のために，特定の周波数帯域の送信チャンネルを必要とする。
［００３３］コントローラ112の制御の下，スイッチング・ユニット104は，選択的に，K個の番組チャンネルストリームにおけるサブセット，すなわち，p個の番組チャンネルストリーム(pはKと異なる。)を切り替え，広告キュー検出器105のp個の入力ポートに出力する。p個の番組チャンネルストリームは，以下のように選択される。検出器105のp個の入力ポートは，変調器バンク106内の変調器の適切な入力に対応するコントローラ112によって，選択され，p個の番組チャンネルストリームは，検出器105によって処理された後，コントローラ112により割り当てられたp個の各キャリア上に変調される。」
オ　「[0050] FIG. 9 illustrates M=14 transmission channels, denoted T-1 through T-14, for carrying program channel streams and advertising streams directed to a service area in this instance. It should be noted that M=14 here is for illustrative purposes only, cable TV system 10 may include more or fewer transmission channels. 
[0051] As illustrated in FIG. 9, at time t, transmission channels T-1 through T-7 are assigned to carry, respectively, p=7 program channel streams for program channels 4, 19, 7, 5, 18, 2 and 20 while transmission channels T-8 through T-14 are unused. For purposes of illustration, in FIG. 9 program channels 4, 19, 7, 5, 18, 2 and 20 are associated, respectively, with the ESPN, ABC, HBO, FOX, CBS, SHOWTIME, and CNN services. 
[0052] According to one aspect of the present invention, ad cue detector 105 monitors each of the program channel streams that are currently being transmitted, and detects that an advertisement break is imminent. When ad cue detector 105 detects an upcoming advertisement break in one of the p program channel streams currently being broadcast, it notifies controller 112. Based on table 432, controller 112 compiles a list of those STTs in the service area which are currently receiving the program channel stream in question. This group of STTs is referred to herein as the “targeted STTs.” Controller 112 informs ad server 103 how many transmission channels are available for conveying streams containing advertisements targeted at the subscribers of the targeted STTs. Ad server 103 then generates one or more targeted advertisement streams, conveyed by one or more of the available transmission channels, respectively.
[0053]Ad cue detector 105 in this instance monitors the program channel streams carried on transmission channels T-1 through T-7 for cues messages, indicating an upcoming advertisement break. Standards for the insertion of such cue messages are established by the American National Standard ANSI/SCTE 35 2001 (formerly DVS 253), Digital Program Insertion Cueing Messages for Cable (May 8, 2001) referred to herein as the DVS 253 Standard, which is incorporated by reference herein. Cable programming services generally provide time space during a broadcast program for use by cable operators. These time spaces are often sold by cable operators to local advertisers or used for channel self-promotion. Each of these time spaces is referred to as an “avail,” and is demarcated by “splice points” in the program channel stream. For example, splice information may be provided in a splice information table associated with a particular program and/or in a cue message in the program channel stream. The splice table and cue messages may be sent multiple times. For example, a cue message may be sent 8, 5, 4 and 2 seconds prior to the splice event. Messages that comply with the SCTE standards are referred to herein as digital program insertion (DPI) cues or DPI messages. In this instance, cue messages are inserted in a program channel stream to give advance notice of an avail, which may provide details as to the start and end times of the avail, the number of advertisements in the avail, etc. 」
（邦訳）
「［００５０］図9に，この場合において，番組チャネルストリーム及び広告ストリームを搬送するための，T-1〜T-14として示された，M＝14本の送信チャンネルを示す。ここで，M=14は，例示のみのためのものであることについて留意されなければならず，ケーブルTVシステム10は，より多くの，又はより少ない送信チャンネルを含むものとすることができる。
［００５１］図9に示すように，時刻tにおいて，送信チャンネルT-8からT-14までが使用されておらず，番組チャンネル4，19，7，5，18，2及び20に対して，それぞれ，p=7の番組チャンネルストリームを搬送するように，送信チャンネルT-1からT-7までが割り当てられている。説明のために，図9において，番組チャンネル4，19，7，5，18，2及び20は，それぞれ，ESPN，ABC，HBO，FOX，CBS，SHOWTIME及びCNNのサービスに割り当てられている。
［００５２］本発明の一態様によれば，広告キュー検出器105は，現在送信されている番組チャンネルストリームの各々を監視し，広告ブレークが切迫していることを検出する。広告キュー検出器105は，現在放送されているp個の番組チャネルストリームのうちの一つにおいて，次の広告ブレークを検出した場合には，コントローラ112に通知する。テーブル432に基づいて，コントローラ112は，当該番組チャンネルストリームを現在受信しているサービスエリアのＳＴＴのリストを編集する。ここで，このＳＴＴのグループは，“ターゲットＳＴＴ”と呼ばれる。コントローラ112は，ターゲットＳＴＴの加入者に向けられた広告を含んだストリームの搬送のために，いくつの送信チャンネルが利用可能であるのかを，広告サーバ103に通知する。そして，広告サーバ103は，一つ又は複数の利用可能な送信チャンネルにより，それぞれ搬送される，一つ又は複数のターゲット広告ストリームを生成する。
［００５３］この場合において，広告キュー検出器105は，次の広告ブレークを示すキューメッセージについて，T-1からT-7までの送信チャンネルにより搬送されている番組チャンネルストリームを監視する。そのようなキューメッセージを挿入するための規格は，American National Standard ANSI/SCTE35 2001(以前はDVS 253)，Digital Program Insertion Cueing Messages for Cable(2001年5月8日)によって確立され，DVS-253規格として本明細書中で参照される。ケーブル番組サービスは，一般的に，ケーブルオペレータによる使用のために，放送番組の間，タイム・スペースを提供する。これらのタイム・スペースは，多くの場合，ケーブルオペレータによってローカル広告主に販売されるか，又はチャンネルを自らプロモーションするために使用される。これらのタイム・スペースは，それぞれが“avail”と呼ばれ，番組チャネルストリームの“継合せポイント”により境界が画されている。例えば，継合せの情報は，特定の番組に関連付けられた継合せ情報テーブル及び／又は番組チャネルストリームのキューメッセージにおいて提供されてもよい。継合せテーブル及びキューメッセージが複数回送信されてもよい。例えば，キューメッセージは，継ぎ合わせイベントの8，5，4及び2秒前に送信されてもよい。SCTE規格に準拠したメッセージは，デジタル番組挿入(DPI)キューまたはDPIメッセージと呼ばれる。キューメッセージが番組チャネルストリームに挿入され，availの事前の予告をし，その予告において，そのavailの開始時間と終了時間，そのavailにおける広告の数等に関する詳細情報を提供し得る。」
カ　「[0056] At step 516, controller 112 consults assignment table 300 to determine the number of unused transmission channels. This calculation may be performed by determining the difference between the number of transmission channels that are currently assigned, as indicated in column 308 of table 300, and the total number of transmission channels, M. In this instance controller 112 determines that seven transmission channels are unused (T-8 through T-14). 
[0057] Controller 112 may reserve one or more unused transmission channels to ensure that capacity is available in the event a subscriber in the service area selects a new program channel for which no program channel stream is currently being provided to the service area. In this instance controller 112 reserves transmission channels T-8 and T-9 to provide capacity for the cable network in the event new program channel streams are requested by subscribers during avail 684. Accordingly, five transmission channels (T-10 through T-14) remain unused and are available for transmission of targeted advertisement streams.
[0058] At step 518, controller 112 communicates with ad server 103 and provides information including data identifying the cueing stream, data concerning the upcoming avail, a list of identifiers for targeted STTs, and the number of unused transmission channels for transmission targeted advertisement streams. Controller 112 directs ad server 103 to generate one or more streams containing targeted advertisement for the targeted STTs. Referring to FIG. 9, in this instance, controller 112 in this instance notifies ad server 103 that an avail will occur between 9:40 p.m. and 9:43 p.m. on program channel 4 stream, and that five transmission channels are available for targeted advertisements. Controller 112 also provides to ad server 103 the MAC addresses of the targeted STTs that are currently receiving the program channel stream associated with program channel 4 (i.e., the ESPN service). 
[0059] Ad server 103, among others, generates streams of targeted advertisements in response to the directives and data received from controller 112. Ad server 103 may be a server system comprising one or more software applications. As shown in FIG. 2, ad server 103 also comprises memory 203 which may contain a catalog of targeted advertisements and one or more databases for generating targeted advertisements, and server 103 may have access to the targeted advertisements using the catalog. 」
（邦訳）
「［００５６］ステップ516において，コントローラ112は，アサインテーブル300を参照して，未使用の送信チャンネルの数を決定する。この計算は，表300の308欄に示されている，現在割り当てられている送信チャンネルの数と，送信チャンネルの総数Mとの間の差を求めることによって行える。この例において，コントローラ112は，7個の送信チャンネル(T-8からT-14まで)を未使用と判断する。
［００５７］コントローラ112は，サービスエリア内の加入者が，現在そのサービスエリアに提供されていない新たな番組チャンネルストリームを選択する場合の容量を確保するために，一つ又は複数の未使用の送信チャンネルを予約する。この場合，コントローラ112は，新たな番組チャネルストリームが，avail 684の間に，加入者によって要求された場合，ケーブルネットワークに容量を提供するために，送信チャンネルT-8，T-9を予約する。よって，5個の送信チャンネル(T-10からT-14まで)は，使用されずに，ターゲット広告ストリームの送信のために利用可能である。
［００５８］ステップ518において，コントローラ112は，広告サーバ103と通信を行い，キューイング・ストリームを識別するデータ，次のavailに関するデータ，ターゲットＳＴＴの識別子のリスト，及びターゲット広告ストリームを搬送するための未使用の送信チャンネルの番号を含む情報を，広告サーバ103に提供する。コントローラ112は，広告サーバ103に対し，ターゲットＳＴＴのためのターゲット広告を含む一つ又は複数のストリームを生成するように指示する。この場合，図9を参照するに，この例のコントローラ112は，一つのavailが，番組チャンネル4のストリーム上における午後9時40分から午後9時43分までの間において発生すること，及び五つの送信チャンネルがターゲット広告のために利用できることを，広告サーバ103に通知する。コントローラ112はまた，番組チャンネル4(すなわち，ESPNサービス)についての番組チャンネルストリームを現在受信しているターゲットＳＴＴのMACアドレスを，広告サーバ103に提供する。
［００５９］広告サーバ103は，とりわけ，コントローラ112から受信した指示及びデータに応じ，ターゲット広告のストリームを生成する。広告サーバー103は，一つ又は複数のソフトウェアアプリケーションを含むサーバシステムとすることができる。図2に示すように，広告サーバ103はまた，ターゲット広告のカタログ，ターゲット広告を生成するため一つ又は複数のデータベースが格納するメモリ203を含み，サーバ103は，そのカタログを使用してターゲット広告にアクセスすることができる。」
キ　「[0064] FIG. 12 shows schematically, of STTs 128-1 through 128-L in the service area, the 1000 targeted STTs which are singled out in set 673. Ad server 103 identifies, based on demographic data obtained from database 620, and the list of targeted STTs and the number of unused transmission channels for targeted advertising from controller 112, four demographic groups 675-678 among the targeted STTs in set 673. For example, group 675 includes, among others, STTs 128-4, 128-17, 128-23, 128-24, and 128-45. 
[0065] The manner by which ad server 103 identifies demographic groups is determined by the particular implementation. For example, groups 675-678 may be: (1) single men aged 18-25, (2) men aged 35-50, (3) women aged 50-65 and (4) individuals with annual income in excess of $50,000. Ad server determines if any STT in set 673 qualifies for more than one group (such as (3) and (4)) and assigns such STTs to a single group based on predetermined criteria by the cable operator. It should be noted that the groups (1)-(4) defined above are for illustrative purposes only. 
[0066] Returning to FIG. 11, at step 528, ad server 103 determines one or more of the unused transmission channels to carry targeted advertisements for the targeted STTs. To determine how many of the unused transmission channels to be used, ad server 103 may consider a variety of factors. If the number of demographic groups associated with the targeted STTs is smaller than the number of unused transmission channels, ad server 103 may allocate one unused transmission channel to each group. For example, if the number of groups is four, and the number of unused transmission channels is five, ad server 103 may allocate one unused transmission channel to each of the four identified groups. 
[0067] However, in some cases, ad server 103 may identify a number of demographic groups that exceeds the number of unused transmission channels. In such case, ad server 103 assigns unused transmission channels based on priorities established by the cable operator. For example, if the number of groups is four, but the number of unused transmission channels is only two, ad server 103 may prioritize the groups according to parameters established by the cable operator. Ad server 103 may, for example, allocate one unused transmission channel to each of the two largest demographic groups. Ad server 103 may additionally allocate the program transmission channel carrying the cueing stream to the third largest demographic group to substitute the corresponding targeted advertisements for the regularly scheduled advertisements in the cueing stream. 」
（邦訳）
「［００６４］図12は，サービスエリアにおける128-1から128-LのＳＴＴに関し，セット673において着目された1000個のターゲットＳＴＴを模式的に示す。広告サーバー103は，データベース620から得られた人口統計学的データ，並びにコントローラ112から得たターゲットＳＴＴのリスト及びターゲット広告のための未使用の送信チャンネルの数に基づいて，セット673のターゲットＳＴＴにおける4つの人口統計学的なグループ675から678までを特定する。例えば，中でもグループ675は，128-4，128-17，128-23，128-24及び128-45のＳＴＴを含んでいる。
［００６５］広告サーバー103が人口統計学的グループを識別するための方法は，特定の実施例により決定される。例えば，グループ675 - 678は，(1)18-25歳の単身の男性，(2)35-50歳の男性，(3)50-65歳の女性，及び(4)50,000ドルを超える年収を有する個人である。広告サーバは，セット673のＳＴＴが一つ以上の((3)及び(4)のような)グループに入るべきかどうかを判定し，ケーブル運用者によってあらかじめ決定された判断基準に基づいて，一つのグループに，このようなＳＴＴを割り当てる。上述のように定義されたグループ(1)-(4)は，単に例示のためであることに留意されたい。
［００６６］図11に戻り，ステップ528において，広告サーバ103は，ターゲットＳＴＴのためのターゲット広告を搬送する一つ又は複数の未使用の送信チャンネルを決定する。未使用の送信チャンネルをいくつ使用するかを決定するために，広告サーバ103は，様々な要因を考慮することができる。ターゲットＳＴＴに関連する人口統計学的グループの数が，未使用の送信チャンネルの数よりも少ない場合，広告サーバ103は，各グループに一つずつ未使用の送信チャンネルを割り当ててもよい。例えば，グループの数が4であり，未使用の送信チャンネルの数が5である場合，広告サーバ103は，4つに識別されたグループのそれぞれに，一つの未使用の送信チャンネルを割り当てる。
［００６７］ただし，いくつかのケースでは，広告サーバ103は，未使用の送信チャンネルの数を超える人口統計学的グループを識別することがある。このケースでは，広告サーバ103は，ケーブル運用者によって設定された優先度に基づいて，未使用の送信チャンネルを割り当てる。例えば，グループの数は4であるが，未使用の送信チャンネルの数が2である場合，広告サーバ103は，ケーブル運用者によって設定されたパラメータに応じてグループに優先順位をつけることができる。例えば，広告サーバー103は，最大二つの人口統計学上のグループに，それぞれ一つの未使用の送信チャンネルを割り当てる。広告サーバー103は，さらに，第３の最大規模の人口統計学的グループに対し，キューイング・ストリームを搬送している番組送信チャンネルを割り当てて，キューイング・ストリームにおける定期的にスケジュールされた広告を，対応するターゲット広告に置き換えてもよい。」
ク　「[0071] At step 531 in FIG. 11, ad server 103 generates one or more streams containing one or more targeted advertisements for the targeted STTs. To generate a stream, ad server 103 selects advertisements targeted at the corresponding demographic group. The method by which advertisements are chosen to reach a given audience depends on the particular implementation. For example, referring to FIGS. 9 and 13, ad server 103 generates targeted advertisement stream 1-A containing advertisements targeted at, say, group 675. Ad server 103 additionally generates targeted advertisement streams 1-B, 1-C and 1-D targeted at groups 676, 677, and 678, respectively. 
[0072] At this point, ad server 103 communicates to controller 112 information indicating how many unused transmission channels server 103 has determined to carry targeted advertisements for the targeted STTs, which group of STTs for which each targeted advertisement streams is intended, and the input ports of switching unit 104 to which ad server 103 feeds the respective advertisement streams. Following the example provided above, ad server 103 informs controller 112 that advertisement stream 1-A at a first input port of unit 104 is intended for the STTs in group 675, advertisement stream 1-B at a second input port of unit 104 is intended for the STTs in group 676, etc. Ad server 103 transmits the various targeted advertisement streams to switching unit 104 to the respective ports through path 816. It should be noted that path 816 here represents multiple links for carrying multiple streams of targeted advertisements. In this instance, controller 112 dynamically assigns three unused transmission channels (T-10, T-11 and T-12), in addition to the program transmission channel (T-1) carrying the cueing stream, to carry the four targeted advertisement streams (i.e., 1-A, 1-B, 1-C and 1-D) provided at the respective input ports of switching unit 104. Controller 112 then causes unit 104 to switch at 9:40 p.m. the targeted advertisement streams to the respective input ports of ad cue detector 105 corresponding to the assigned transmission channels and the program transmission channel. 
[0073] In accordance with yet another aspect of the invention, controller 112 directs the targeted STTs in groups 675, 676 and 677 to tune to the assigned transmission channels (T-9, T-10 and T-11) for the duration of avail 682 to receive the respective targeted advertisement streams transmitted through the channels. To that end, controller 112 transmits control messages receivable by the targeted STTs. Each control message may include an STID identifying each STT for which the message is intended, and, for each intended STT, an assigned transmission channel to which it should tune at a specified start time till a specified end time, where the start and end times correspond to those of the avail. The control messages are transmitted over one or more FDCs. In an alternative implementation, the control messages are transmitted over the program transmission channel carrying the cueing stream. In this example, the control messages may direct the targeted STTs in groups 675, 676 and 678 to tune to transmission channels T-10, T-11, and T-12, respectively. The control messages additionally indicate that avail 684 is scheduled to begin at 9:40 and end at 9:43 p.m. 
[0074] Each of STTs 128-1 and 128-L in the service area determines whether one such control message is intended for the STT by checking for its STID in the control message, as indicated at step 720 in FIG. 14. If not, the subject routine returns to step 720. Otherwise, the STT at step 723 reads information concerning its assigned transmission channel in the control message, and the start and end times of the upcoming avail. At step 726, the STT tunes to its assigned transmission channel at the start time of the avail to receive the targeted advertisement stream from the assigned channel. At step 730, the STT re-tunes to the original program transmission channel at the end time of the avail, and as a result, the STT returns to the original programming. 
[0075]Returning briefly to FIG. 9, at 9:42 p.m., as soon as avail 686 is ascertained, controller 112 similarly causes ad server 103 to generate advertisement streams 4-A and 4-B targeted at groups of subscribers currently viewing the FOX program channel. Controller 112 causes targeted advertisement streams 4-A and 4-B to be transmitted through transmission channels T-13 and T-14, respectively, between 9:42 p.m. and 9:45 p.m., to coincide with avail 686 on the FOX program channel.」
（邦訳）
「［００７１］図11のステップ531において，広告サーバ103は，ターゲットＳＴＴのための一つ又は複数のターゲット広告を含む，一つ又は複数のストリームを生成する。ストリームを生成するために，広告サーバ103は，対応する人口統計学的グループにおけるターゲット広告を選択する。定められた視聴者に到達するように，広告が選択される方法は，特定の実施例に依存する。例えば，図9及び図13を参照すると，広告サーバ103は，例えば，グループ675にターゲットが向けられた広告を含むターゲット広告ストリーム1-Aを生成する。広告サーバー103は，さらに，グループ676，677，678にターゲットが向けられた，ターゲット広告ストリーム1-B,1-C及び1-Dをそれぞれ生成する。
［００７２］この時点で，広告サーバ103は，ターゲットＳＴＴへのターゲット広告を搬送するために用いられる，いくつの未使用の送信チャンネルがサーバ103で決定されたのか，各ターゲット広告ストリームが用いられるのがＳＴＴのグループのうちいずれであるのか，及び広告サーバ103が各広告ストリームを供給する，スイッチング・ユニット104の入力ポートを示す情報を，コントローラ112に通知する。上述の例に続いて，広告サーバ103は，ユニット104の第1の入力ポートにおける広告ストリーム1-Aがグループ675のＳＴＴのために用いられること，ユニット104の第2の入力ポートにおける広告ストリーム1-Bがグループ676のＳＴＴのために用いられること等を，コントローラ112に通知する。広告サーバ103は，様々なターゲット広告ストリームを，経路816を介し，各ポートに転送して切替部104に送信する。経路816は，ここでは，ターゲット広告の複数のストリームを搬送するための，複数のリンクを示すことに留意されたい。ここで，コントローラ112は，キューイング・ストリームを伝送する番組送信チャンネル(T- 1)に加え，動的に，三つの未使用の送信チャンネル(T-10，T-11，T-12)を，スイッチング・ユニット104の各入力ポートに供給された四つのターゲット広告ストリーム(例えば，1-A，1-B，1-C，1-D)の搬送のために割り当てる。そして，コントローラ112は，午後9時40分に，ユニット104が，ターゲット広告ストリームを，割り当てられた送信チャンネル及び番組送信チャンネルに対応する，広告キュー検出器105の各入力ポートへとスイッチさせるようにする。
［００７３］本発明のさらに別の側面において，コントローラ112は，グループ675，676及び677のターゲットＳＴＴに対し，avail 682の間に，割り当てられた送信チャンネル(T-9，T-10及びT-11)を介し送信された各ターゲット広告ストリームを受信するように，チャンネルを合わせるよう指示する。この目的のために，コントローラ112は，ターゲットＳＴＴが受信可能な制御メッセージを送信する。各制御メッセージは，メッセージが与えられる各々のＳＴＴを識別するSTID，及び指定された開始時間から指定された終了時刻（availの開始時間と終了時間に対応している。）までの間，各ターゲットＳＴＴにおいてチャンネルが合わせられる，割り当てられた送信チャンネル，を含んでいてもよい。制御メッセージは，一つまたは複数の順方向データチャンネル（FDC）を介して送信される。代替の実施形態では，制御メッセージは，キューイング・ストリームを伝送する番組送信チャンネルを介して送信される。本実施例において，制御メッセージは，グループ675，676，678のターゲットＳＴＴに対し，それぞれ，送信チャンネルT-10，T-11及びT-12に，チャンネルを合わせるように指示することができる。制御メッセージは，さらに，avail 684が午後9時40分に開始し9時43分に終了するようにスケジュールされていることを示す。
［００７４］図14のステップ720に示されるように，サービスエリアにおけるＳＴＴ128-1ないし128-Lの各々は，制御メッセージのSTIDをチェックすることによって，一つのこのような制御メッセージが，そのＳＴＴを対象としているものであるのか否かを判定する。前記制御メッセージが，そのＳＴＴを対象としているものでなければ，本ルーチンはステップ720に戻る。前記制御メッセージが，そのＳＴＴを対象としているものであれば，ステップ723でＳＴＴは制御メッセージから，その割り当てられた送信チャンネルに関する情報，及び次のavailの開始時間と終了時間を読み出す。ステップ726でＳＴＴは，割り当てられたチャンネルからターゲット広告ストリームを受信するために，availの開始時に，その割り当てられた送信チャンネルに，チャンネルを合わせる。ステップ730では，availが終了した時点で，ＳＴＴは元の番組送信チャンネルに再びチャンネルを合わせ，結果として，ＳＴＴは元の番組へと戻る。
［００７５］図9に戻って説明すると，午後9時42分で，avail 686が確認されるとすぐに，コントローラ112は，同様に，広告サーバ103に，現在FOX番組チャンネルを見ている加入者のグループにターゲットが向けられた広告ストリーム4-A及び4-Bを生成させる。コントローラ112は，午後9時42分から午後9時45分までの間，FOX番組チャンネルのavail 686に一致させて，ターゲット広告ストリーム4-A，4-Bが，それぞれ，送信チャンネルT-13，T-14を介して送信されるようにする。」
（２−１−２）引用発明
　上記（２−１−１）の摘記事項アからクまでの記載及び関連する図面並びにこの分野における技術常識を考慮して引用例１の記載を検討する。
（ア）　上記ア及びイによれば，引用例１には，定期的にスケジュールされた広告の代わりに加入者に示される，代替のターゲット広告を配信するための，システムに関して記載されている。
　上記クには，コントローラ112が，ターゲット広告を含むターゲット広告ストリームの搬送のために，未使用の送信チャンネルを動的に割り当てることについて記載されている。
　以上の記載を踏まえれば，引用例１には，『送信チャンネルを動的に割り当てるためのシステム』が記載されているといえる。
（イ）　上記オには，広告キュー検出器105が，次の広告ブレークを示すキューメッセージを，番組チャンネルストリームを監視して検出することについて記載されている。なお，広告ブレークとは，上記ク及び引用例１の図９の記載をみると，ＳＴＴにおいて，現在視聴中の番組チャンネルから，ターゲット広告ストリームの送信チャンネルにチャンネルが合わせられて広告が受信されることにより，一時的に前記番組チャンネルの視聴が中断される状態を意味するものいえる。ここで，段落［０００３］によれば，ＳＴＴとは，セットトップ端末（set-top terminal）のことである。
　また，上記オには，availが，広告等のためのタイム・スペースであることについて記載され，引用例１の図９からは，このavailが前記広告ブレークの期間であることについて，読み取ることができる。
　上記クには，availに一致させて，ターゲット広告ストリームのそれぞれが，対応する送信チャンネルを介して送信されるように，コントローラ112が制御することについて記載されている。
　上記オには，キューメッセージが，番組チャンネルストリームに挿入され，availの事前の予告をし，その予告において，そのavailの開始時間と終了時間，そのavailにおける広告の数等についての詳細な情報，すなわちデータを提供するものであることについて記載されている。
　以上の記載及び図面から読み取ることができる事項を踏まえれば，引用例１には，引用例１記載のシステムが『番組チャンネルストリーム内の広告ブレークにおいて，ターゲット広告ストリームが送信されることとなるavailの開始時間，終了時間等のデータを含むキューメッセージを，前記番組チャンネルストリームを監視して検出する広告キュー検出器105』を備えることについて記載されているといえる。
（ウ）上記（イ）に示したように，上記オには，キューメッセージが，availの事前の予告をし，その予告において，そのavailの開始時間と終了時間，そのavailにおける広告の数等についての詳細な情報を提供するものであることについて記載されている。
　上記カには，コントローラ112が，未使用の送信チャンネルの数を求めることについて記載されている。
　上記カには，広告サーバ103が，コントローラ112から，開始時間及び終了時間といったavailに関するデータ，ターゲットＳＴＴの識別子のリスト，及びターゲット広告ストリームを搬送するための未使用の送信チャンネルの番号を含む情報の提供を受けることについて記載されている。
　上記キ及びクには，サービスエリアにおける128-1から128-LのＳＴＴに関し，広告サーバ103が，ターゲットＳＴＴの複数グループのためのターゲット広告を搬送する一つ又は複数の未使用の送信チャンネルを決定し，ターゲット広告を含むターゲット広告ストリームを生成することについて記載されている。
　上記クには，広告サーバ103が，未使用の送信チャンネルのうち，いくつをターゲット広告の搬送に用いるのか，ＳＴＴのどのグループに対して各ターゲット広告ストリームが用いられるのか等の情報について，コントローラ112に対し通知をすることが記載されている。
　以上の記載を踏まえれば，引用例１には，引用例１記載のシステムが『前記キューメッセージの示す前記データの提供を受け，未使用の送信チャンネルの一部を，前記ターゲット広告ストリームに用いることの決定をし，前記未使用の送信チャンネルを求めたコントローラ112に対し，未使用の送信チャンネルのうち，いくつを前記ターゲット広告ストリームに用いるのかについての通知をする広告サーバ103』を備えていることについて記載されているといえる。
（エ）上記クには，広告サーバ103からの前記通知を受けたコントローラ112が，動的に，未使用の送信チャンネルを，ターゲット広告を含むターゲット広告ストリームの搬送のために割り当てることについて記載されている。ここで，引用例１の図９からは，avail 684について，割り当てられる送信チャンネルが，未使用の送信チャンネル（Ｔ−１０からＴ１４まで）のうちの一部（Ｔ−１０からＴ−１２まで）であることを読み取ることができる。
　また，上記クには，コントローラ112が，スイッチング・ユニット104に対し，availの開始時間に，ターゲット広告ストリームを，割り当てられた送信チャンネルに対応する広告キュー検出器105の各入力ポートへとスイッチさせることについて記載されている。
　上記クには，コントローラ112から送信された制御メッセージを受信した，サービスエリアにおけるターゲットＳＴＴが，availの開始時に，その割り当てられた送信チャンネルに，チャンネルを合わせ，ターゲット広告ストリームを受信することが記載されている。
　ここで，上記エには，ストリームが広告キュー検出器105により処理された後，コントローラ112に割り当てられたキャリア上に変調されることが記載されており，さらに，引用例１の図２からは，ストリームが，スイッチング・ユニット104，広告キュー検出器105，モジュレータ・バンク106を経由し，その後，ＳＴＴに流れ受信されることを読み取ることができる。
　以上の記載及び図面から読み取ることができる事項を踏まえれば，引用例１には，引用例１記載のシステムが『前記コントローラ112により，未使用の送信チャンネルの一部がターゲット広告ストリームのために割り当てられると，前記ターゲット広告ストリームが，サービスエリアにおけるターゲットＳＴＴに受信されるようにスイッチさせられるスイッチング・ユニット104』を備えることについて記載されているといえる。
（オ）上記（イ）に示したように，上記クには，availに一致させて，ターゲット広告ストリームのそれぞれが，対応する送信チャンネルを介して送信されるように，コントローラ112が制御することについて記載されている。
　以上の記載を踏まえれば，引用例１には，引用例１記載のシステムが『前記availに一致させて，前記ターゲット広告ストリームが，送信チャンネルを介して送信されるようにする前記コントローラ112』を備えることについて記載されているといえる。
（カ）上記ウには，本発明のシステムが，サービスエリアノード126,127等を備え，サービスエリアノード126には，128-1から128-LまでのＳＴＴが接続されていることについて記載されている。また，引用例１の図２からは，引用例１記載のシステムが，一のコントローラ112に対し，前記サービスエリアノードを複数備えて構成されることを読み取ることができる。
　以上の記載及び図面から読み取ることができる事項を踏まえれば，引用例１には，引用例１記載のシステムが『前記コントローラ112に対し，複数の前記サービスエリアを備える』ことについて記載されているといえる。
（キ）まとめ
　以上によれば，引用例１には，次の発明（以下「引用発明」という。）が開示されている。なお，引用発明に対し，下記のとおり，当審において，（ａ）から（ｇ）までの記号を説明のために付与した。以下，構成要件ａ，構成要件ｂなどと称することとする。
（引用発明）
（ａ）送信チャンネルを動的に割り当てるためのシステムであって，
（ｂ）番組チャンネルストリーム内の広告ブレークにおいて，ターゲット広告ストリームが送信されることとなるavailの開始時間，終了時間等のデータを含むキューメッセージを，前記番組チャンネルストリームを監視して検出する広告キュー検出器105と，
（ｃ）前記キューメッセージの示す前記データの提供を受け，未使用の送信チャンネルの一部を，前記ターゲット広告ストリームに用いることの決定をし，前記未使用の送信チャンネルを求めたコントローラ112に対し，未使用の送信チャンネルのうち，いくつを前記ターゲット広告のストリームに用いるのかについての通知をする広告サーバ103と，
（ｄ）前記コントローラ112により，未使用の送信チャンネルの一部がターゲット広告ストリームの搬送のために割り当てられると，前記ターゲット広告ストリームが，サービスエリアにおけるターゲットＳＴＴに受信されるようにスイッチさせられるスイッチング・ユニット104と，
（ｅ）前記availに一致させて，前記ターゲット広告ストリームが，送信チャンネルを介して送信されるようにする前記コントローラ112とを備え，
（ｆ）さらに，前記コントローラ112に対し，前記サービスエリアを複数備える，
（ｇ）システム。
（２−２）引用例２の記載及び技術事項
（２−２−１）引用例２の記載
　原審の平成２６年３月２５日付けの拒絶理由に引用された，米国特許出願公開第２００６／０２９３９５４号明細書（以下「引用例２」という。）には，「Voting and headend insertion model for targeting content in a broadcast network」（邦訳：放送網におけるターゲットコンテンツのための投票および中継局挿入モデル）として，図面とともに以下の事項が記載されている。なお，邦訳は，パテントファミリーである特表２００８−５２７９３０号公報を参考にして，当審において行ったものである。
ア　「[0077] The targeted assets may include any type of asset that is desired to be targeted to network users. It is noted that such targeted assets are sometimes referred to as addressable assets (though, as will be understood from the description below, targeting can be accomplished without addressing in a point-to-point sense). For example, these targeted assets may include advertisements, internal marketing (e.g., information about network promotions, scheduling or upcoming events), public service announcements, weather or emergency information, or programming. （後略）」
（邦訳）
「［００７７］ターゲット・アセットは，ネットワーク・ユーザをターゲットとすることが望まれている任意の種類のアセットを含む。このようなターゲット・アセットは，ときには，「アドレス指定」アセットとも呼ばれることに留意されたい（ただし，以下の説明から分かるように，ターゲット設定は，ポイント・ツー・ポイントの意味でアドレス指定することをせずに実行される）。例えば，これらのターゲット・アセットは，広告，内部マーケティング（例えば，ネットワーク販促，スケジューリング，または次回のイベントに関する情報），公共広告，気象または緊急情報，または番組を含む。（後略）」
イ　「[0167] In order to provide notice of upcoming breaks or insertion opportunities within a break, programming streams often include a cue tone signal 1530 (or a cue message in digital networks) a predetermined time before the beginning of each break or insertion opportunity. These cue tone signals 1530 have historically been utilized to allow local asset providers to insert localized assets into a network feed. Further, various channels may provide window start times and window end times during which one or more breaks will occur. These start and end times define an avail window. Again, this information has historically been provided to allow local asset providers to insert local assets into a broadcast stream. This information may also be utilized by the targeted asset system to determine when a break will occur during programming. Accordingly, the system may be operative to monitor programming channels, e.g., 1502, 1504 and 1506, for cue tone signals 1530 as well as obtain and store information regarding window start and end times (e.g., in the schedule database 1420). The available window information may be received from the TB system and may be manually entered.
[0168] Due to the limited bandwidth available for providing targeted asset delivery, it may be desirable to identify one or more characteristics associated with each programming channel 1502, 1504 and 1506 when determining which channel(s) should receive targeted asset delivery for conflicting breaks or how available bandwidth should be apportioned among the conflicting programming channels. In this regard, it will be noted that breaks on different channels are often at least partially overlapping. For instance, the break 1514 of channel 1504 partially overlaps the break 1516 on channel 1506. Accordingly, it may be desirable to arbitrate the limited resources available for targeted asset delivery between the two channels 1504 and 1506.
[0169] For instance, the arbitrator 1428 (See FIG. 14) may determine that the first channel 1506 does not currently have enough users to warrant use of any available bandwidth to provide targeted asset delivery. Alternatively, the available bandwidth may be split between the first and second channels 1504, 1506 such that targeting asset delivery may be provided for each break 1514, 1516. As a further alternative, the available asset channels may be split between supporting the first and second channels 1504, 1506, for example, in proportion to their respective audience sizes. It is noted that it may be possible to use a given asset channel in support of only a portion of a break, for example, in connection with partially overlapping breaks, though this involves certain practical difficulties related to scheduling and flotilla construction. This may also require knowledge of the underlying break structure, e.g., to ensure that the viewer is not returned to the second half of a sixty-second asset. This information will generally not be available to the CPE. Also, different numbers of asset channels may be available at different time periods of a break. Signals received from CPEs, e.g., recent or historical signals, may be utilized for arbitration purposes. Further, it will be appreciated that in some instances one or more channels may include aligned breaks. For instance, channels having a common ownership entity (e.g., ESPN and ABC) may have aligned breaks for certain programming. Accordingly, bandwidth for targeted asset delivery for these common channels may be shared.」
（邦訳）
「［０１６７］ブレーク内の次回のブレークまたは挿入機会の通知を行うために，番組ストリームは，キュー・トーン信号１５３０（またはデジタル・ネットワークではキュー・メッセージ），それぞれのブレークまたは挿入機会の始まりの前の所定の時間を含むことが多い。これらのキュー・トーン信号１５３０は，歴史的に，ローカル・アセット・プロバイダが局所化アセットをネットワーク・フィード内に挿入できるようにするために使用されてきた。さらに，さまざまなチャンネルが，１つまたは複数のブレークが発生する時間枠開始時刻と時間枠終了時刻を規定する。これらの開始および終了時刻により，利用時間枠が定められる。ここでもまた，この情報は，歴史的に，ローカル・アセット・プロバイダがローカル・アセットをブロードキャスト・ストリーム内に挿入するように提供されてきた。この情報は，さらに，番組中にブレークが発生する時期を決定するためにターゲット・アセット・システムにより使用される。したがって，システムは，キュー・トーン信号１５３０について番組チャンネル，例えば１５０２，１５０４，および１５０６を監視するとともに，時間枠開始時刻および終了時刻（例えば，スケジュール・データベース１４２０内の）に関する情報を取得し，格納するように動作する。利用可能時間枠情報は，Ｔ＆Ｂシステムから受け取ることができ，手動で入力することができる。
［０１６８］ターゲット・アセット配信を行うのに利用できる帯域幅が限られているため，どの（複数の）チャンネルが衝突しているブレークに対するターゲット・アセット配信を受け取るべきか，または衝突している番組チャンネル間にどれだけ利用可能帯域幅を割り当てるべきかを決定するときに，それぞれの番組チャンネル１５０２，１５０４，および１５０６に関連付けられている１つまたは複数の特性を識別することが望ましい。この点に関して，異なるチャンネル上のブレークは，少なくとも部分的にオーバーラップしていることが多いことに留意されたい。例えば，チャンネル１５０４のブレーク１５１４は，部分的に，チャンネル１５０６上のブレーク１５１６とオーバーラップする。したがって，２つのチャンネル１５０４と１５０６との間でターゲット・アセット配信に利用可能な限られた資源の裁定を行うことが望ましい。
［０１６９］例えば，裁定器１４２８（図１４を参照）は，第１のチャンネル１５０６に，現在，ターゲット・アセット配信を行うために利用可能な帯域幅の使用を十分保証できる数のユーザがいないと判定する。それとは別に，利用可能な帯域幅を第１のチャンネル１５０４と第２のチャンネル１５０６とに分割し，ブレーク１５１４，１５１６毎にターゲット・アセット配信を行うようにする。さらにそれとは別に，利用可能なアセット・チャンネルを，例えば，それぞれの視聴者規模に比例して，第１のチャンネル１５０４と第２のチャンネル１５０６のサポートに分割する。例えば，部分的にオーバーラップしているブレークに関して，ブレークの一部のみをサポートしている所与のアセット・チャンネルを使用することが可能であると思われるが，これは，スケジューリングおよび群構成に関係するいくつかの実用上の問題点を含むことに留意されたい。これは，さらに，例えば，視聴者が６０秒のアセットの第２の半分に戻らないことを確実にするため，基礎となるブレーク構造を知っている必要がある。この情報は，一般に，ＣＰＥからは利用できない。また，異なる数のアセット・チャンネルは，ブレークの異なる期間に利用可能な場合もある。ＣＰＥから受信された信号，例えば，最近または過去の信号を，裁定目的に使用する。さらに，いくつかの場合において，１つまたは複数のチャンネルが調整されたブレークを含んでいてもよいことは理解されるであろう。例えば，共有企業（例えば，ＥＳＰＮおよびＡＢＣ）を有するチャンネルでは，特定の番組に対してブレークを調整している。したがって，これらの共通チャンネルに対するターゲット・アセット配信の帯域幅は，共有することができる。」
ウ　「[0172] The number of asset channels available for targeted asset delivery may be limited by the available bandwidth (e.g., unused channels) of a given network operator. As discussed below, the system may make use of channels that are opportunistically available, e.g., channels that are used for VOD at night may be available to support asset options during the day, or unused bandwidth within a node filter area may be used for this purpose. FIG. 16A illustrates the use of four asset channels 1601-1604 for providing assets during a break 1610 of a programming channel 1600. As shown, on each asset channel 1601-1604, the break 1610 may be separated into one or more asset slots that may have different durations. However, in the case of FIG. 16A, the start and end times of the asset sets A-C, D-E, F-H and I-K carried by the asset channels 1601-1604 are aligned with the start and end times of the break 1610. Each of the asset channels 1601-1604 may carry an asset that is targeted to a specific audience classification of the users of the targeted channel 1600 or the users of additional programming channels having a break aligned with the break 1610 of the programming channel 1600.」
（邦訳）
「［０１７２］ターゲット・アセット配信に対し利用可能なアセット・チャンネルの数は，所与のネットワーク事業者の利用可能な帯域幅（例えば，未使用チャンネル）によって制限される。後に説明されるように，システムは，日和見的に利用可能なチャンネルを使用することが可能であり，例えば，夜間にＶＯＤに使用されるチャンネルは，日中にアセットの選択肢をサポートするために利用可能であり，またはノード・フィルタ領域内の未使用帯域幅は，この目的のために使用される。図１６Ａは，番組チャンネル１６００のブレーク１６１０においてアセットを提供するための，４つのアセット・チャンネル１６０１〜１６０４の使用を例示している。図に示されているように，それぞれのアセット・チャンネル１６０１〜１６０４において，ブレーク１６１０は，異なる持続時間を有する１つまたは複数のアセット・スロットに分割される。しかし，図１６Ａの場合，アセット・チャンネル１６０１から１６０４に含むアセット集合Ａ〜Ｃ，Ｄ〜Ｅ，Ｆ〜Ｈ，およびＩ〜Ｋの開始時刻と終了時刻は，ブレーク１６１０の開始時刻および終了時刻に合わされる。アセット・チャンネル１６０１〜１６０４はそれぞれ，ターゲット・チャンネル１６００のユーザまたは番組チャンネル１６００のブレーク１６１０と揃えられているブレークを有する，追加の番組チャンネルのユーザの特定の視聴者分類に合わせてターゲット設定されているアセットを搬送する。」
（２−２−２）引用例２記載の技術事項
　上記（２−２−１）のアからウまでには，番組を視聴するユーザに広告を配信するためのチャンネルの数が利用可能な帯域幅，例えば，未使用チャンネルによって制限されることについて記載されている。ここで，チャンネルも帯域幅も通信リソースといえることは明らかである。
　したがって，上記（２−２−１）の摘記事項及び関連する図面並びにこの分野の技術常識を踏まえると，引用例２には，以下の技術事項が開示されているといえる。
（引用例２記載の技術事項）
「番組を視聴するユーザに広告を配信する技術分野においても，通信リソースである帯域幅と未使用チャンネル数との間には対応関係があること。」
（３）対比
　補正後の発明と引用発明とを対比する。
（３−１）補正後の発明の構成要件Ａと引用発明の構成要件ａとの対比
　引用発明の「送信チャネル」と，補正後の発明の「帯域幅」とは，「通信リソース」という点で共通する。
　よって，引用発明の「送信チャンネルを動的に割り当てるためのシステム」と，補正後の発明の「帯域幅を動的に割り当てるためのシステム」とは，「通信リソースを動的に割り当てるためのシステム」という点で共通し，前記通信リソースが，補正後の発明においては「帯域幅」であるのに対し，引用発明においては「送信チャンネル」である点において，補正後の発明と引用発明とは相違する。
（３−２）補正後の発明の構成要件Ｂと引用発明の構成要件ｂとの対比
ア　引用発明の「番組チャンネルストリーム」は，上記（２−１−１）イに示されているように，ＳＴＴにプログラム番組を提供するケーブルＴＶシステムにおけるストリームであり，また，ケーブルＴＶシステムにおけるストリームは放送のストリームにほかならない。したがって，引用発明の「番組チャンネルストリーム」は，補正後の発明の「放送ストリーム」に相当する。
イ　引用発明の「広告ブレーク」は，上記（２−１−２）イで示したように，ＳＴＴにおいて，現在視聴中の番組チャンネルから，ターゲット広告ストリームの送信チャンネルにチャンネルが合わせられて広告が受信されることにより，一時的に前記番組チャンネルの視聴が中断される状態を意味するから，前記放送ストリーム内の「中断」ということができる。
　また，引用発明における「広告ブレーク」は，引用発明の「ターゲット広告ストリーム」により生じるものであるところ，この「ターゲット広告ストリーム」は，上記（２−１−１）クにおいて示されているように，前記広告を配信させたいターゲットＳＴＴにおいて受信されるものである。一方，本願の発明の詳細な説明の段落【００３０】において，「全ての送信受信機への非アドレス可能又は非ターゲット化広告放送である。」という，全ての受信機への広告放送について「非アドレス」という用語を用いた記載がなされていることや，段落【００３３】において，「広告サーバ４７からアドレス可能なコマーシャル（Ａ，Ｂ，Ｃ，Ｄ，Ｅ）の要求を受け取ると，リソースマネージャ５９のサブネットワーク６１内の各々における帯域幅を割り当てることができる。（中略）また，リソースマネージャ５９は，個々のコマーシャル（Ａ，Ｂ，Ｃ，Ｄ，Ｅ）がいずれの家庭をプロファイルし，又はターゲットとしているかを認識している。リソースマネージャ５９は，（中略）あるサブネットワーク６１内に特定のコマーシャルのターゲットとなる少なくとも１つの家庭が存在する場合，このサブネットワーク６１内のコマーシャルにのみ追加の帯域幅を割り当てる。」という，コマーシャルが特定のターゲットに向けられたものであり，そのようなコマーシャルについて「アドレス可能」という用語を用いた記載がなされていることからすると，本願の補正後の発明における「アドレス可能」という用語は，特定の受信機が広告を受信することができるようにアドレス指定可能であるという意味で用いられているものと認められる。
　そうすると，その意味において，引用発明の，広告を配信させたいターゲットＳＴＴにおいて受信される「ターゲット広告ストリーム」は，「アドレス可能な」ものであるといえ，その「ターゲット広告ストリーム」によって生じる「広告ブレーク」も「アドレス可能な」ものであるといえる。
　さらに，上記（２−１−２）イで示したように，availが前記広告ブレークの期間であることを踏まえると，引用発明の「availの開始時間，終了時間等のデータ」は，前記広告ブレークがいつ開始するか等を示すものであるから，「少なくとも」，前記広告ブレークの「開始を示すデータ」といえる。
ウ　補正後の発明の「キュートーン」について，本願の発明の詳細な説明の段落【００２６】には，「従来，これらのキュートーンは音声トーンであったが，デジタル信号処理及び放送送信の急増に伴い，米国規格協会（「ＡＮＳＩ」）及びＣＡＴＶ通信技術者協会（「ＳＣＴＥ」）規格３５に記載されるようなデジタルキュートーンの使用が増加している。」として，音声トーンに限定されず，ＡＮＳＩ／ＳＣＴＥ規格３５に準拠したものであってもよいことが記載されている。他方，引用発明の「キューメッセージ」についても，上記（２−１−１）オにおいて摘記した段落［００５３］には，「キューメッセージを挿入するための規格は，American National Standard ANSI/SCTE35 2001(以前はDVS 253)，Digital Program Insertion Cueing Messages for Cable(2001年5月8日)によって確立され，DVS-253規格として本明細書中で参照される。」として，ＡＮＳＩ／ＳＣＴＥ規格35に準拠したものであってもよいことが示されており，このことは，補正後の発明の「キュートーン」と一致する。そうすると，引用発明の「キューメッセージ」は，補正後の発明の「キュートーン」に相当するといえる。
エ　引用発明における，キューメッセージを，「前記番組チャンネルストリームを監視して検出する」ことは，上記ア及びウの検討により，キュートーンを，前記放送ストリームを監視して検出することといえる。また，キュートーンを，前記放送ストリームを監視して検出するということは，キュートーンを，「前記放送ストリームから受け取る」ことということができる。
オ　引用発明における「広告キュー検出器105」は，引用発明のシステムにおける「手段」の一つである。
カ　よって，引用発明の構成要件ｂ「番組チャンネルストリーム内の広告ブレークにおいて，ターゲット広告ストリームが送信されることとなるavailの開始時間，終了時間等のデータを含むキューメッセージを，前記番組チャンネルストリームを監視して検出する広告キュー検出器105と，」は，補正後の発明の構成要件Ｂ「少なくとも放送ストリーム内のアドレス可能な中断の開始を示すデータを含むキュートーンを前記放送ストリームから受け取る手段と，」に相当する。
（３−３）補正後の発明の構成要件Ｃと引用発明の構成要件ｃとの対比
ア　引用発明の「前記キューメッセージの示す前記データ」は，上記（３−２）のウの検討を踏まえると，補正後の発明の「前記キュートーンの前記データ」に相当する。
　また，引用発明においては，広告サーバ103がこのデータ「の提供を受け」ることにより，ターゲット広告ストリームに用いる送信チャンネルを決定しており，引用発明は，前記キューメッセージの示す前記データ「に基づいて」，前記送信チャンネルを決定しているといえる。
イ　引用発明の「未使用」の送信チャンネルは，これから「利用可能」な送信チャンネルということができること，及び上記（３−１）の検討を踏まえると，引用発明の「未使用の送信チャンネル」は，補正後の発明の「利用可能な帯域幅」と，「利用可能な通信リソース」という点で共通する。
ウ　引用発明の「前記ターゲット広告ストリーム」が「少なくとも一つの」広告，すなわち「コマーシャルを含むコンテンツ」の「ストリーム」であることは明らかである。また，上記（３−２）イの検討を踏まえると，引用発明の「前記ターゲット広告ストリーム」は，「アドレス可能」なストリームでもある，といえる。
　ここで，引用発明において，未使用の送信チャンネルをターゲット広告ストリームに「用いることの決定」をすることは，ターゲット広告ストリームに未使用の送信チャンネルを「割り当てる」ことといえる。
エ　引用発明における「未使用の送信チャンネルを求めたコントローラ112」は，未使用，すなわち，利用可能な送信チャンネルを求め，上記（２−１−１）クに摘記した段落［００７２］に開示されているように，広告サーバ103からの通知の後，未使用の送信チャンネルのうち一部を，ターゲット広告ストリームに対して実際に割り当てる役割をつかさどるものであるから，利用可能な送信チャンネルという「リソース」について「管理」する「マネージャ」ということができる。したがって，上記イの検討も踏まえると，引用発明における「未使用の送信チャンネルを求めたコントローラ112」は，補正後の発明における「利用可能な帯域幅を管理するよう構成されているリソースマネージャ」と，「利用可能な通信リソースを管理するように構成されているリソースマネージャ」という点で共通する。
オ　引用発明では，広告サーバ103がコントローラ112に対し，「未使用の送信チャンネルのうち，いくつをターゲット広告ストリームに用いるのかについての通知」をしているが，これによって，上記エで指摘したコントローラ112が送信チャンネルの実際の割当てを行っているのであるから，前記通知をすることは，広告サーバ103からコントローラ112に対し，当該割当ての「要求を送信」することといえる。
カ　引用発明における「広告サーバ103」は，引用発明のシステムにおける「手段」の一つである。
キ　よって，引用発明の構成要件ｃと補正後の発明の構成要件Ｃとは，「利用可能な帯域幅を管理するよう構成されているリソースマネージャに要求を送信し，前記キュートーンの前記データに基づいて，前記利用可能な通信リソースの一部を少なくとも一つのコマーシャルを含むアドレス可能コンテンツストリームに割り当てる手段」を備える点で共通し，（ア）前記管理について，補正後の発明では，「優先順位ポリシにしたがって」なされるのに対し，引用発明では，そのような特定がなされていない点，及び（イ）前記通信リソースが，補正後の発明では，「帯域幅」であるのに対し，引用発明では，「送信チャンネル」である点で相違する。
（３−４）補正後の発明の構成要件Ｄと引用発明の構成要件ｄとの対比
ア　上記（３−３）エの検討を踏まえると，引用発明の「前記コントローラ112」は，補正後の発明の「前記リソースマネージャ」に相当する。
　また，引用発明のスイッチング・ユニット104が，「未使用の送信チャンネルの一部がターゲット広告ストリームのために割り当てられると」，スイッチさせられることは，当該スイッチング・ユニット104が，「未使用の送信チャンネルの一部の割当てを受けたことに応じて，」スイッチさせられることといえる。
　したがって，上記（３−３）イの検討も踏まえると，引用発明の「前記コントローラ112により，未使用の送信チャンネルの一部がターゲット広告ストリームのために割り当てられると，」は，補正後の発明の「前記リソースマネージャによる前記利用可能な帯域幅の一部の割当てを受けたことに応じて，」と，「前記リソースマネージャによる前記利用可能な通信リソースの一部の割当てを受けたことに応じて，」という点で共通する。
イ　引用発明の「前記ターゲット広告ストリーム」は，上記（３−２）のイ及び上記（３−３）ウの検討を踏まえると，「少なくとも一つのコマーシャル」について，「アドレス可能な中断中」にターゲットＳＴＴに「流す」，「アドレス可能コンテンツストリーム」といえる。
ウ　引用発明の「サービスエリア」は，上記（２−１−１）ウ及び引用例１の図２に示されているように，ファイバー・ノード122からＳＴＴに至るまでの通信網が複数のサービスエリア・ノード（SERVICE AREA NODE）126，127により分割されて形成されているものであるから，「サブネットワーク」を構成しているといえる。
　そして，上記（２−１−１）イ，キ及びクに示されているように，引用発明の「ターゲットＳＴＴ」は，広告配信のターゲットとされた，サービスエリア内のグループに属し，広告を受信するセットトップ端末であるから，「ターゲットとされた」サブエリア「内に配置されている受信機」ということができる。
エ　引用発明の「スイッチング・ユニット104」は，引用発明のシステムにおける「手段」の一つである。
オ　よって，引用発明の構成要件ｄと補正後の発明の構成要件Ｄとは，「前記リソースマネージャによる前記利用可能な通信リソースの一部の割り当てを受けたことに応じて，前記アドレス可能な中断中に前記アドレス可能コンテンツストリームを前記少なくとも一つのコマーシャルについてターゲットとされたサブネットワーク内に配置されている受信機に流す手段」を備える点で共通し，前記通信リソースが，補正後の発明では，「帯域幅」であるのに対し，引用発明では，「送信チャンネル」である点で相違する。
（３−５）補正後の発明の構成要件Ｅと引用発明の構成要件ｅとの対比
ア　引用発明の「前記ターゲット広告ストリーム」は，上記（３−２）イでの検討を踏まえると，「アドレス可能な」広告ブレーク，すなわち「中断」を生じさせるものであり，上記（３−３）エでの検討をも踏まえると，広告ブレークの際に，送信チャンネルの「一部の割り当て」を受けるものといえる。また，引用発明の「前記avail」についてみるに，上記（３−２）イでの検討を踏まえると，その開始時間，終了時間は，それぞれ，広告ブレークの開始，終了に対応する。
　そうすると，引用発明における，「前記availに一致させて，ターゲット広告ストリームが，送信チャンネルを介して送信されるようにする」ということは，前記availの終了時間，すなわち，広告ブレークの終了の際に，割り当てられた送信チャンネルを介した，ターゲット広告ストリームの送信がされなくなるということであるから，「アドレス可能な中断の終了時に前記送信チャンネルの一部の割り当てを解除する」ことといえる。
イ　引用発明の「コントローラ112」は，引用発明のシステムにおける「手段」の一つである。
ウ　よって，引用発明の構成要件ｅと補正後の発明の構成要件Ｅとは，「前記アドレス可能な中断の終了時に前記帯域幅の一部の割り当てを解除する手段」で共通し，通信リソースが，補正後の発明では，「帯域幅」であるのに対し，引用発明では，「送信チャンネル」である点で相違する。
（３−６）補正後の発明の構成要件Ｆと引用発明の構成要件ｆとの対比
ア　引用発明の「前記コントローラ112」は，上記（３−３）エの検討を踏まえると，「利用可能な通信リソースを管理するよう構成され」ているといえる。
　また，引用発明の「前記サービスエリア」は，上記（３−４）ウの検討を踏まえると，加入者側の複数のセットトップ端末が属するサブネットワークであり，「ネットワーク内の利用可能な加入者の複数のサブネットワーク」ということができる。
イ　よって，引用発明の構成要件ｆと補正後の発明の発明の構成要件Ｆとは，「前記リソースマネージャに対し，ネットワーク内の利用可能な加入者の複数のサブネットワークが存在」する点で共通し，以下の点で相違する。
（ア）前記「複数のサブネットワーク」について，補正後の発明では，「前記リソースマネージャ」が前記複数のサブネットワークを「定義」し，「前記複数のサブネットワークのための利用可能な通信リソースを管理するよう構成され，前記複数のサブネットワークのそれぞれが通信リソースを有し，サブネットワーク内の少なくとも一つの加入者が前記少なくとも一つのコマーシャルについてターゲットとされたことに応じて，前記リソースマネージャが前記サブネットワーク内の前記アドレス可能コンテンツストリームについての通信リソースを割り当てるよう構成される」のに対し，引用発明では，このようなサブネットワークごとの割当て処理を行うことについて特定されていない点
（イ）前記通信リソースが，補正後の発明では，「帯域幅」であるのに対し，引用発明では，送信チャンネル」である点
（ウ）前記管理について，補正後の発明では，「優先順位ポリシにしたがって」なされるのに対し，引用発明では，そのような特定がなされていない点
（３−７）補正後の発明の構成要件Ｇと引用発明の構成要件ｇとの対比
　引用発明の「システム」は，上記（３−１）及び（３−３）から（３−６）までに示した相違を除き，補正後の発明の「システム」に相当するものといえる。
（３−８）まとめ
　上記（３−１）から（３−７）までに示した対比結果に基づき，補正後の発明と，引用発明との間の一致点と相違点をまとめると，以下のとおりである。
（一致点）
「通信リソースを動的に割り当てるためのシステムであって，
　少なくとも放送ストリーム内のアドレス可能な中断の開始を示すデータを含むキュートーンを前記放送ストリームから受け取る手段と，
　利用可能な帯域幅を管理するよう構成されているリソースマネージャに要求を送信し，前記キュートーンの前記データに基づいて，前記利用可能な通信リソースの一部を少なくとも一つのコマーシャルを含むアドレス可能コンテンツストリームに割り当てる手段と，
　前記リソースマネージャによる前記利用可能な通信リソースの一部の割当てを受けたことに応じて，前記アドレス可能な中断中に前記アドレス可能コンテンツストリームを前記少なくとも一つのコマーシャルについてターゲットとされたサブネットワーク内に配置されている受信機に流す手段と，
　前記アドレス可能な中断の終了時に前記帯域幅の一部の割り当てを解除する手段とを備え，
　前記リソースマネージャに対し，ネットワーク内の利用可能な加入者の複数のサブネットワークが存在することを特徴とするシステム。」
（相違点１）
　コマーシャルを含むアドレス可能コンテンツストリームに割り当てられる通信リソースが，補正後の発明では，「帯域幅」であるのに対し，引用発明では，「送信チャンネル」である点
（相違点２）
　利用可能な通信リソースの管理について，補正後の発明では，「優先順位ポリシにしたがって」なされるのに対し，引用発明では，そのような特定がなされていない点
（相違点３）
　前記「複数のサブネットワーク」について，補正後の発明では，「前記リソースマネージャ」が前記複数のサブネットワークを「定義」し，「前記複数のサブネットワークのための利用可能な通信リソースを管理するよう構成され，前記複数のサブネットワークのそれぞれが通信リソースを有し，サブネットワーク内の少なくとも一つの加入者が前記少なくとも一つのコマーシャルについてターゲットとされたことに応じて，前記リソースマネージャが前記サブネットワーク内の前記アドレス可能コンテンツストリームについての通信リソースを割り当てるよう構成される」のに対し，引用発明では，このようなサブネットワークごとの割当て処理を行うことについて特定されていない点
（４）当審の判断
ア　上記（相違点１）について
　引用発明は，ターゲット広告ストリームのために，未使用の送信チャンネルを割り当てるものである。
　一方，上記（２−２−２）に示したように，引用例２には，番組を視聴するユーザに広告を配信する技術分野においても，通信リソースである帯域幅と未使用チャンネル数との間には対応関係がある，という技術事項が記載されている。
　引用発明と，引用例２記載の技術事項とは，広告を配信するための通信リソースに関する点で共通するから，引用発明に当該技術事項を適用し，ターゲット広告ストリームのために割り当てる通信リソースとしての「送信チャンネル」を，「帯域幅」とすることは，当業者が容易に想到し得たことである。
イ　上記（相違点２）について
　引用例１には，上記（２−１−１）カにおいて摘記した段落［００５８］及び図９において，引用発明のコントローラ112が，午後９時４０分から午後９時４３分まで，ターゲット広告のために，Ｔ−１０からＴ−１４までの五つの送信チャンネルが利用できることを広告サーバ103に通知することについて記載されている。
　次に，引用例１には，上記（２−１−１）クにおいて摘記した段落［００７２］及び図９において，引用発明のコントローラ112が，広告サーバ103の決定を受けて，Ｔ−１０からＴ−１２までの三つの未使用の送信チャンネルを，１−Ａから１−Ｃまでのターゲット広告ストリームの搬送のために割り当てることについて記載されている。
　さらに，引用例１には，上記（２−１−１）クにおいて摘記した段落［００７５］及び図９において，上記ターゲット広告の期間と部分的に重複する午後９時４２分から午後９時４５分まで，同様にして，Ｔ−１３及びＴ−１４の二つの送信チャンネルを，４−Ａ及び４−Ｂのターゲット広告ストリームの搬送のために割り当てることについて記載されている。
　以上を踏まえると，引用発明のコントローラ112は，複数のターゲット広告が時間的に重複した場合に，ターゲット広告の期間はずらさずに，後のターゲット広告には，先のターゲット広告に割り当ててもなお未使用である送信チャンネルを用いて，割当て処理を行う態様を読み取ることができる。
　そうすると，引用例１には「優先順位ポリシ」について直接的に明記はされていないものの，このようなコントローラ112の割当て処理についての記載に接した当業者が，未使用の送信チャンネルが無限にあるわけではないことを考慮し，引用発明を，ターゲット広告の期間はずらさずに，時間的に先に送信される広告を優先して送信チャンネルを割り当てるという，優先順位ポリシに従った管理をするものとして構成することは，当業者が容易になし得たことである。
ウ　上記（相違点３）について
　引用発明のシステムは，複数のサービスエリアを備えるものであるが，上記（２−１−１）キ及びクに示されているように，引用例１には，そのうちの一のサービスエリア，すなわち，サービスエリア・ノード１２６及びこれに属する１２８−１から１２８−ＬまでのＳＴＴに着目し，広告のストリームのために未使用の送信チャンネルを割り当てる処理について記載され，サービスエリア・ノード１２７及びこれに属するＳＴＴのような，他のサービスエリアについて，どのような割当て処理がなされるのかは明らかでない。
　しかしながら，複数のサービスエリアに対し，未使用の送信チャンネルを把握して割当て処理を行うとなれば，当業者は，複数のサービスエリアをまとめて割当て処理を行うか，あるいは，サービスエリアごとに個別の割当て処理を行うかのいずれかを選択することになると考えるのが自然であり，そのいずれを選択するかは，当業者が適宜選択し得た設計的事項にすぎない。
　したがって，引用発明のシステムにおける，未使用の送信チャンネルの割当てについて，サービスエリアごとに個別に割当て処理を行うことを採用し，前記コントローラが，それぞれにおいて送信チャンネルを有する複数のサービスエリアを識別できるように定義し，前記複数のサービスエリアの利用可能な未使用の送信チャンネルを管理し，サ-ビスエリア内の少なくとも一つの加入者が少なくとも一つの広告についてターゲットとされたことに応じて，前記サブエリアの前記ターゲット広告ストリームについて未使用の送信チャンネルを割り当てるように構成することは，当業者が容易に想到し得たことである。
エ　さらに，補正後の発明の作用，効果も，引用発明及び引用例２記載の技術事項から当業者が予測できる範囲のものである。
オ　したがって，補正後の発明は，引用発明及び引用例２記載の技術事項に基づいて当業者が容易に発明をすることができたものであるから，特許法第２９条第２項の規定により，特許出願の際独立して特許を受けることができないものである。
４　結語
　以上のとおり，本件補正は，補正後の発明が特許出願の際独立して特許を受けることができないものであるから，特許法第１７条の２第６項において準用する同法第１２６条第７項の規定に適合していない。
　したがって，本件補正は，同法第１５９条第１項において読み替えて準用する同法第５３条第１項の規定により却下すべきものである。
第３　本願発明について
１　本願発明
　本件補正は，上記のとおり却下されたので，本願発明は，上記「第２　補正却下の決定」の「１　本願発明と補正後の発明」の項で「本願発明」として認定したとおりである。
２　引用発明
　引用発明及び周知技術は，上記「第２　補正却下の決定」の「３　独立特許要件について」における「（２）引用発明及び周知技術」の項で認定したとおりである。
３　対比及び判断
　そこで，本願発明と引用発明とを対比するに，本願発明は，上記「第２　補正却下の決定」の「１　本願発明と補正後の発明」において認定した「補正後の発明」から本件補正の補正箇所に係る限定事項を省いたものである。
　そうすると，本願発明の構成に本件補正の補正箇所に係る限定事項を付加した「補正後の発明」が，上記「第２　補正却下の決定」の「３　独立特許要件について」において検討したとおり，引用発明及び周知技術に基づいて当業者が容易に発明をすることができたものであるから，補正後の発明から本件補正の補正箇所に係る限定事項を省いた本願発明も，同様の理由により，当業者が容易に発明をすることができたものである。
第４　むすび
　以上のとおり，本願発明は，引用発明及び周知技術に基づいて当業者が容易に発明をすることができたものであるから，特許法第２９条第２項の規定により特許を受けることができない。
　したがって，その他の請求項に係る発明について検討するまでもなく，本願は拒絶されるべきものである。
　よって，結論のとおり審決する。